(57)【要約】【課題】警報が出力されたことをより確実に認識することのできる警報器を提供する。【解決手段】一つ以上の検出対象をそれぞれ検出し、それら検出レベルを電気信号のレベルにそれぞれ変換して出力する検出部２と、この検出部２が出力した前記各電気信号のレベルがそれぞれ所定の閾値を超えたか否かを判定する判定制御部３と、この判定制御部３により前記検出部２が出力した前記各電気信号のレベルのいずれかが所定の閾値を超えたと判定されたとき、前記検出対象に応じた警報信号を出力する警報部４と、  この警報部４が前記検出対象に応じた前記警報信号を出力するとき、該検出対象に応じた所定の点灯パターンで発光する複数の発光素子を有するアラート表示部１０とを備える。【選択図】図１
2009163657.tif 000002
【特許請求の範囲】
【請求項１】
一つ以上の検出対象をそれぞれ検出し、それら検出レベルを電気信号のレベルにそれぞれ変換して出力する検出部と、
この検出部が出力した前記各電気信号のレベルがそれぞれ所定の閾値を超えたか否かを判定する判定制御部と、
この判定制御部により前記検出部が出力した前記各電気信号のレベルのいずれかが所定の閾値を超えたと判定されたとき、前記検出対象に応じた警報信号を出力する警報部と、
この警報部が前記検出対象に応じた前記警報信号を出力するとき、該検出対象に応じた所定の点灯パターンで発光する複数の発光素子を有するアラート表示部と
を備えることを特徴とする警報器。
【請求項２】
前記警報器は、複数の面を有する箱体に収容され、
複数の前記発光素子は、前記箱体の所定の一面に設けられて、この一面の所定の位置から略等距離、かつ互いに隣接する該発光素子との距離を略等しくして配置したことを特徴とする請求項１に記載の警報器。
【請求項３】
前記検出部は、メタンガスまたはＣＯガスの少なくともいずれか一方または双方を検出するガスセンサを備えることを特徴とする請求項１または２に記載の警報器。
【請求項４】
前記検出部は、火災を検出する火災センサを備えることを特徴とする請求項１〜３のいずれかに記載の警報器。
【発明の詳細な説明】
【技術分野】
【０００１】
本発明は、警報器に係り、詳しくはガス漏れ検出と不完全燃焼検出の複合検出機能を備えた警報器、およびこれらの検出に加えて火災検出機能を併せもつ警報器において、警報出力を容易に視認するに好適な警報器に関する。
【背景技術】
【０００２】
従来、ガス漏れ等の異常状態を検出して警報を出力する警報器は、発光ダイオード（以下、ＬＥＤと称する）等の発光素子によって警報原因を表示することが法令や規格等で定められている。
例えばガス漏れ検出および不完全燃焼の検出を行う複合警報器には、不完全燃焼（例えば、ＣＯガス検出）の警報を表示させる黄色ＬＥＤ、ガス漏れ（例えば、メタンガス、水素ガス等の検出）の警報を表示させる赤色ＬＥＤおよび通電を表示させる緑色ＬＥＤが設けられている。このように構成された警報器は、その濃度に応じて黄色ＬＥＤまたは赤色ＬＥＤを低濃度の場合は点滅、高濃度の場合は点灯する等して危険レベルに応じた表示をさせている。
ところでこの種の警報器は、ガス漏れ等の何らかの異常状態を検出したとき、その異常状態を速やかにＬＥＤや警報音でユーザに通知することを使命としている。ユーザは、警報器から発せられた警報音を聞くことで何らかの異常が起こっていることをすぐに認識し、その後、警報器から出力されるメッセージを聞き直したり、ＬＥＤによる警報表示を見たりすることで異常の原因を把握することができるようになっている。しかしながら、難聴者や高齢者のように、耳が不自由な場合、警報器から出力される警報音を聞き逃してしまい、それ故、警報器作動の認識が遅れる懸念があった。その結果、ガス漏れ等の異常の発見が遅れ、その被害を大きくしてしまうことがあった。
【０００３】
そこでこのような問題を解決するべく警報器に光源を設け、異常状態を検出したときにこの光源を瞬時的に点灯させて、ユーザに対する視認性を向上させた警報器が試みられている（例えば、特許文献１を参照）。
【特許文献１】特開２００５−２９３４６６号公報
【発明の開示】
【発明が解決しようとする課題】
【０００４】
しかしながら前述した警報器は、異常状態を検出した際、瞬間的に点灯表示が行えるものの、単に光の強弱だけの通知である。このため特許文献１に開示される警報器は、昼間等の明るい室内では瞬間的に点灯する光源が目立たず、それ故、警報器作動の認識が遅れてしまうという問題があった。
本発明は、上述した問題を解決するためになされたもので、その目的とするところは、警報が出力されたことをより確実に認識することのできる警報器を提供しようとするものである。
【課題を解決するための手段】
【０００５】
上述した目的を達成するため本発明の警報器は、一つ以上の検出対象をそれぞれ検出し、それら検出レベルを電気信号のレベルにそれぞれ変換して出力する検出部と、この検出部が出力した前記各電気信号のレベルがそれぞれ所定の閾値を超えたか否かを判定する判定制御部と、この判定制御部により前記検出部が出力した前記各電気信号のレベルのいずれかが所定の閾値を超えたと判定されたとき、前記検出対象に応じた警報信号を出力する警報部と、この警報部が前記検出対象に応じた前記警報信号を出力するとき、該検出対象に応じた所定の点灯パターンで発光する複数の発光素子を有するアラート表示部とを備えることを特徴としている。
また上記警報器は、複数の面を有する箱体に収容され、複数の前記発光素子は、前記箱体の所定の一面、例えば警報器の正面部に設けられて、この正面部の所定の位置から略等距離、かつ互いに隣接する該発光素子との距離を略等しくして配置したことを特徴としている。
上述の警報器は、複数の発光素子（例えば、ＬＥＤ）が警報器の筐体正面部に配置され、警報部が警報を出力する際、各ＬＥＤを順番に点灯・消灯させることによって回転表示（例えば、時計回り方向、反時計回り方向の表示）をさせたり、全ＬＥＤを同時に点滅させたりする所定の点灯パターンで警報表示を行う。
【０００６】
好ましくは前記検出部は、メタンガスまたはＣＯガスの少なくともいずれか一方または双方を検出するガスセンサを備えることが望ましい。
より好ましくは前記検出部は、火災を検出する火災センサを備えることが望ましい。
【発明の効果】
【０００７】
上述したように本発明の警報器は、警報器の正面の中心部付近に複数の発光素子（ＬＥＤ）を有するアラート表示部を備え、何らかの異常状態を検出した際、このアラート表示部の複数のＬＥＤを用いて時計回り方向や反時計回り方向の表示、或いは全ＬＥＤの同時点滅表示を行うことで異常状態の検出がより一層認識し易くなり、ユーザが警報出力を速やかに知り得ることができる等の実用上優れた効果を奏し得る。
【発明を実施するための最良の形態】
【０００８】
以下、本発明の一実施形態に係る警報器について図１〜図５の図面を参照しながら説明する。尚、図１〜５は本発明の一実施形態を説明するための図であって、これらの図によって本発明が限定されるものではない。
さて、図１は、本発明の一実施形態に係る警報器の外観を示す図であり、図２は、その要部構成を示すブロック図である。
これらの図において１は、警報器の各構成要素を収容する筐体である。この筐体１には、例えばガス漏れ、不完全燃焼及び火災の発生を検出する特に図示しない室内の壁面にネジ止め等して取り付けられるよう取付けヒンジ１ａが設けられている。
この警報器は、可燃性ガス（例えばメタンガス、水素ガス等）の存在を検出するガス検出部２ａ、ＣＯガスの存在を検出するＣＯ検出部２ｂおよび火災の発生を検出する火災検出部２ｃを備える。これら各検出部２ａ，２ｂ，２ｃは、それぞれの検出対象の検出レベルに応じたレベルの電気信号をそれぞれ出力して次段の判定制御部３に与える検出部２を構する。
ちなみに各検出部２ａ，２ｂ，２ｃは、既知のガスセンサ、煙センサ、温度センサ等の各種センサが用いられるが、これらはよく知られているセンサであるのでその説明を省略する。もちろん検出部２は、上述したガス検出部２ａ、ＣＯ検出部２ｂおよび火災検出部２ｃのいずれかだけで構成してもかまわない。要するに検出部２は、所望の検出対象物（被検出対象）を検出できるものであれば、本発明の警報器においてその種類が限定されるものではない。
【０００９】
またこれらの各検出部２ａ，２ｂ，２ｃは、筐体１に設けられた通気孔を介して外部空間と接するようになっている。具体的に筐体１には、図示しない壁等に警報器を取り付けた際、正面に位置する筐体１の正面部１ｂに火災検出部２ｃが外部空間と接する火災検出用通気孔１ｃと、筐体１の側面部１ｄにガス検出部２ａおよびＣＯ検出部２ｂが外部空間と接するガス検出用通気孔１ｅがそれぞれ設けられている。
判定制御部３は、例えばマイクロコンピュータを主体として構成され、検出部２の各検出部２ａ，２ｂ，２ｃから出力される電気信号をそれぞれ受けて、これら電気信号のレベルが所定のレベルを超えているかどうかを判定する。この判定制御部３は、検出部２が出力した電気信号のレベルが、所定のレベルを超えていると判定したとき、検出対象に応じた警報信号を出力する警報部４を駆動する。具体的に警報部４は、筐体１の正面から視認可能な位置にガス検出（ガス漏れ）警報表示灯４ａ、ＣＯ検出（不完全燃焼）警報表示灯４ｂ、火災検出表示灯４ｃおよび警報音を音響にて出力する警報音発報部４ｄを備える。そして警報器は、判定制御部３の判定結果に応じてこれらの各表示灯４ａ，４ｂ，４ｃを点灯や点滅させると共に警報音発報部４ｄから警報音を発する。
また警報器は、これらの各部へ作動用の電力を供給する電源部５を備えている。この電源部５は、特に図示しないが商用交流電源を受けて所定の電圧に変換するように構成してもよいし、或いは、リチウム電池のような電池を用いて構成してもよい。
【００１０】
概略的には上述したように構成された本発明の警報器が特徴とするところは、警報部４が警報を出力するとき、各表示灯４ａ，４ｂ，４ｃの表示出力および警報音発報部４ｄによる音響警報に加えて、アラート表示部１０が備える複数の発光素子による発光によってユーザに警報を報知する点にある。
このアラート表示部１０は、複数の発光素子（例えば、ＬＥＤ）を有し、例えば筐体１の正面部１ｂに設けられた火災検出用通気孔１ｃを中心点とし、この中心点から略等距離、かつ互いに隣接する発光素子との距離を略等しくして配置される（ＬＥＤ１〜４）。例えば図１には、筐体１の正面部１ｂにＬＥＤを４個配置したものが示されている。この場合、ＬＥＤ１〜４は、警報器の正面部１ｂ方向から視野したとき、それぞれ正方形の頂点に位置するように配置される。
このような特徴ある本発明の警報器について、検出部２が異常を検出したときの作動についてより詳細に説明する。
まず検出部２のガス検出部２ａがガス漏れを検出したとする。するとガス検出部２ａから出力される電気信号のレベルが変化し、判定制御部３は、この電気信号のレベル変化を検出する。判定制御部３は、この電気信号のレベルが所定の閾値を超えたと判定したときは、ガス漏れがあったとして警報部４に指令を与え、ガス検出警報表示灯４ａを点灯させると共に、警報音発報部４ｄからガス漏れ警報音を出力させる。尚、判定制御部３は、ガス検出部２ａから出力される電気信号のレベルに応じて、即ち検出されたガスの濃度が低いときにガス検出警報表示灯４ａを点滅させ、ガス濃度が高いときガス検出警報表示灯４ａを点灯させる。
【００１１】
これと同時に判定制御部３は、アラート表示部１０に対してガス漏れ検出の表示をするよう指令を与える。するとアラート表示部１０は、図３に示すタイミングでＬＥＤ１〜ＬＥＤ４を順次駆動させる。ちなみに、各ＬＥＤ１〜４は、各ＬＥＤが順次点灯・消灯していることが視認できる点灯タイミングで駆動される。このように各ＬＥＤ１〜４が駆動されるとユーザは、警報器の筐体１の正面から各ＬＥＤ１〜４が時計方向に順次点灯・消灯していくように視認することができる。
更に判定制御部３は、ガス検出部２ａから出力される電気信号のレベルに応じて、即ち検出されたガスの濃度に応じて適宜アラート表示部１０の点灯タイミングを調整する指示を与える。具体的には、検出されたガス濃度が高くなるほど、ＬＥＤ１〜４の点滅タイミングを速める。即ち、時計方向の回転速度を速めるように順次各ＬＥＤ１〜４を点灯・点滅させる。
同様にＣＯ検出部２ｂがＣＯガスを検出、即ち不完全燃焼を検出すると、ＣＯ検出部２ｂから出力される電気信号のレベルが変化し、判定制御部３は、この電気信号のレベル変化を検出する。判定制御部３は、この電気信号のレベルが所定の閾値を超えたと判定したときは、不完全燃焼があったとして警報部４に指令を与え、ＣＯ検出警報表示灯４ｂを点灯させると共に、警報音発報部４ｄからＣＯガス検出警報音を出力させる。尚、判定制御部３は、ＣＯ検出部２ｂから出力される電気信号のレベルに応じて、即ち検出されたＣＯガスの濃度が低いときＣＯ検出警報表示灯４ｂを点滅させ、ＣＯガスの濃度が高いときＣＯ検出警報表示灯４ｂを点灯させる。
【００１２】
これと同時に判定制御部３は、アラート表示部１０に対して不完全燃焼検出の表示をするよう指令を与える。するとアラート表示部１０は、図４に示すタイミングでＬＥＤ１〜ＬＥＤ４を順次駆動させる。このように各ＬＥＤ１〜４が駆動されるとユーザは、警報器の筐体１の正面から各ＬＥＤ１〜４が反時計方向に順次点灯・消灯していくように視認することができる。
そして判定制御部３は、ＣＯ検出部２ｂから出力される電気信号のレベルに応じて、即ち検出されたＣＯガス濃度に応じて適宜アラート表示部１０の点灯タイミングを調整する指示を与える。具体的には、検出されたＣＯガス濃度が高くなるほど、ＬＥＤ１〜４の点滅タイミングを速める。即ち、反時計方向の回転速度を速めるように順次各ＬＥＤ１〜４を点灯・点滅させる。
更に火災検出部２ｃが火災の発生を検出すると、火災検出部２ｃから出力される電気信号のレベルが変化し、判定制御部３は、この電気信号のレベル変化を検出する。判定制御部３は、この電気信号のレベルが所定の閾値を超えたと判定したときは、火災が発生したとして警報部４に指令を与え、火災検出表示灯４ｃを点灯させると共に、警報音発報部４ｄから火災検出警報音を出力させる。
【００１３】
これと同時に判定制御部３は、アラート表示部１０に対して火災検出の表示をするよう指令を与える。するとアラート表示部１０は、図５に示すタイミングでＬＥＤ１〜ＬＥＤ４を全点灯・全消灯を繰り返す。
かくして本発明の警報器は、警報器の通電表示、不完全燃焼警報表示、ガス漏れ警報表示、火災警報表示の各種警報ランプの他に、警報器の正面に複数のＬＥＤを配置し、異常を検出したときに、これらＬＥＤを回転表示させたり、同時に点滅させたりして表示するアラート表示を行うことで、警報発報時の表示に変化を持たせることで、ユーザが警報器の作動をより認識し易くすることが可能となった。
尚、本発明の警報器は、上記した実施の形態に限定されるものではなく、本発明の要旨を逸脱しない範囲内において種々変更を加えてもかまわない。
例えば上述した実施形態は、ガス漏れを検出したときＬＥＤ１〜４を時計方向に順次点灯させ、不完全燃焼を検出したときＬＥＤ１〜４を反時計方向に順次点灯させ、火災の発生を検出したときＬＥＤ１〜４を同時に点滅させるように構成したが、これらの点灯パターンを入れ替えても勿論かまわない。
或いは、上述した実施形態でアラート表示部１０は、４個のＬＥＤを用いた場合を説明したが、さらにランプの個数を増やしてもよいし、筐体１の表面に複数のＬＥＤを縦、横、斜め等に配置して、順番に点灯させたり、同時点灯させたりしてもよい。
【００１４】
更に本発明の警報器は、アラート表示部１０のＬＥＤに２色ＬＥＤや多色ＬＥＤなどを用いることで、警報表示のバリエーションを増やすことができ、より一層視認性を向上させるが可能となる。
【図面の簡単な説明】
【００１５】
【図１】本発明の一実施形態に係る警報器の外観を示す図。
【図２】図１に示す警報器の要部構成を示すブロック図。
【図３】本発明の一実施形態に係る警報器がガス漏れを検出したときのアラート表示部の点灯タイミングを示す図。
【図４】本発明の一実施形態に係る警報器が不完全燃焼を検出したときのアラート表示部の点灯タイミングを示す図。
【図５】本発明の一実施形態に係る警報器が火災の発生を検出したときのアラート表示部の点灯タイミングを示す図。
【符号の説明】
【００１６】
１    筐体
２    検出部
２ａ  ガス検出部
２ｂ  ＣＯ検出部
２ｃ  火災検出部
３    判定制御部
４    警報部
５    電源部
１０  アラート表示部
【図１】
2009163657.tif 000003
【図２】
2009163657.tif 000004
【図３】
2009163657.tif 000005
【図４】
2009163657.tif 000006
【図５】
2009163657.tif 000007